(57)【要約】      （修正有）【課題】庇部を折り畳み可能としてコンパクトに折り畳むことができるキャップ形の折り畳み帽子を提供する。【解決手段】下部に開口部９を備えた碗状に形成され人の頭部を覆う本体部２と、本体部２の開口部９前端から水平方向に突出した庇部３とを備えてキャップ形の折り畳み帽子１を構成する。また、庇部３を形成する複数個の庇片４，５，５は互いに折り曲げ可能に連結されており、庇部３の庇片５，５を折り曲げた状態で折り畳むことができるので、庇部３を折り畳んで折り畳み帽子１をコンパクトに折り畳むことができる。【選択図】図１
0003168848.tif 000002
【実用新案登録請求の範囲】
【請求項１】
下部に開口部を備えた碗状に形成され人の頭部を覆う本体部と、本体部の開口部前端から水平方向に突出した庇部とを備えるキャップ形帽子において、庇部を形成する複数個の庇片は互いに折り曲げ可能に連結されており、庇部の庇片を折り曲げた状態で折り畳むことができることを特徴とするキャップ形の折り畳み帽子。
【請求項２】
複数個の庇片は本体部に隣接する端部が本体部に縫い合わされ、前端周縁部がパイピング加工によって互いに連結されることを特徴とする請求項１に記載のキャップ形の折り畳み帽子。
【請求項３】
本体部の後端には、庇部が本体部に固定されるための固定手段が設けられていることを特徴とする請求項１または２に記載のキャップ形の折り畳み帽子。
【考案の詳細な説明】
【技術分野】
【０００１】
本考案は、折り畳んで収納することができるキャップ形の折り畳み帽子に関する。
【背景技術】
【０００２】
特許文献１には、人の頭を包む形状に形成された本体部の前部外面側にポケット状の袋部を備えたキャップ形の帽子が記載されている。袋部は上部に開口部が設けられ、開口部はファスナーによって開閉自在に形成されている。外出したときなどに帽子を脱いで携帯したい場合があるが、このような場合には、帽子の本体部を裏返して、裏返した本体部と庇部とを袋部に収納して開口部のファスナーを閉める。このようにして帽子を袋部に収納して携帯することができる。
【先行技術文献】
【特許文献】
【０００３】
【特許文献１】特開平８−２７６１２号公報
【考案の概要】
【考案が解決しようとする課題】
【０００４】
特許文献１に記載の帽子では、帽子の本体部とともに袋部に収納する庇部が幅広な場合には袋部が大きくなり、コンパクトに収納することができないという問題がある。
本考案の目的は、このような問題を解決するもので、庇部を折り畳み可能としてコンパクトに折り畳むことができるキャップ形の帽子を提供することである。
【課題を解決するための手段】
【０００５】
この課題を解決するために請求項１に記載の考案は、下部に開口部を備えた碗状に形成され人の頭部を覆う本体部と、本体部の開口部前端から水平方向に突出した庇部とを備えるキャップ形帽子において、庇部を形成する複数個の庇片は互いに折り曲げ可能に連結されており、庇部の庇片を折り曲げた状態で折り畳むことができるものである。
【０００６】
請求項２に記載の考案は、複数個の庇片は本体部に隣接する端部が本体部に縫い合わされ、前端周縁部がパイピング加工によって互いに連結されるものである。請求項３に記載の考案は、本体部の後端には、庇部が本体部に固定されるための固定手段が設けられているものである。
【考案の効果】
【０００７】
請求項１記載の考案によれば、庇部を形成する複数個の庇片は互いに折り曲げ可能に連結されており、庇部の庇片を折り曲げた状態で折り畳むことができるので、庇部を折り畳んで帽子をコンパクトに折り畳むことができる。
【図面の簡単な説明】
【０００８】
【図１】一実施形態に係る折り畳み帽子１の斜視図である。
【図２】折り畳み帽子１の平面図である。
【図３】庇部の製作過程を示す概略図である。
【図４】庇部の製作過程を示す概略図である。
【図５】庇部の製作過程を示す概略図である。
【図６】庇部の製作過程を示す概略図である。
【図７】庇部の製作過程を示す概略図である。
【図８】折り畳み帽子１の斜視図である。
【図９】折り畳み帽子１の斜視図である。
【図１０】折り畳んだ折り畳み帽子１の斜視図である。
【図１１】折り畳んだ折り畳み帽子１の斜視図である。
【考案を実施するための形態】
【０００９】
以下、本考案の一実施形態について図１〜図１２に基づいて説明する。折り畳み帽子１は、人の頭を覆う本体部２と本体部２の前端に突出する庇部３とを備える。庇部３は、庇片４と庇片４の両側に位置する庇片５，５とを備える。図３は、庇片４，５，５の芯材４ａ，５ａ，５ａを示す。庇芯４ａ，５ａ，５ａはポリエステルを用いて形成される。図４に示すように、庇芯４ａ，５ａ，５ａの上面には生地４ｂ，５ｂ，５ｂが縫い合わされる。生地４ｂ，５ｂ，５ｂが縫い合わされた庇芯４ａ，５ａ，５ａの互いに隣り合う端面は、図５に示すように生地４ｃ，４ｃ，５ｃ，５ｃを用いてパイピング加工される。庇片４，５，５はパイピング加工した端面を当接させた状態で、図６に示すように一枚ものの裏地６が縫い合わされる。裏地６が縫い合わされた庇片４，５，５は、図７に示すように後端部７が本体部２に縫い合わされ、庇片４，５，５の先端部８が本体部２の開口部９とともに生地１０によってパイピング加工される。庇部３は、このようにして形成され本体部２に連結される。
【００１０】
ここで、折り畳み帽子１を折り畳む手順について説明する。図８，図９に示すように、庇部３の端部に位置する庇片５，５を庇部３の下面側に折り畳む。このとき本体部２の両側部１２は庇片５，５とともに本体部２の内側に折り畳まれる。次に、図１０に示すように、庇片５，５を折り畳んだ庇部３に向かって、両側部１２が内側に折り畳まれた本体部２が折り返される。図１１に示すように、本体部２の後端部には、頭の後部を覆うための幅広な固定手段である紐部１１が設けられており、庇片５，５を下面側に折り畳んだ庇部３はこの紐部１０によって本体部２に固定される。
【００１１】
このように、下部に開口部９を備えた碗状に形成され人の頭部を覆う本体部２と、本体部２の開口部９前端から水平方向に突出した庇部３とを備えるキャップ形帽子において、庇部３を形成する複数個の庇片４，５，５は互いに折り曲げ可能に連結されており、庇部３の庇片５，５を折り曲げた状態で折り畳むことができるので、庇部３を折り畳んで折り畳み帽子１をコンパクトに折り畳むことができる。
【００１２】
さらに、複数個の庇片４，５，５は本体部２に隣接する端部である後端部７が本体部２に縫い合わされ、前端周縁部である先端部８がパイピング加工によって互いに連結されており、庇片４，５，５同士が当接する端面は縫い合わされていないので、庇片５，５を容易に折り曲げることができる。
【００１３】
さらに、本体部２の後端には、庇部３が本体部２に固定されるための固定手段である紐部１１が設けられているので、庇部２の庇片５，５を折り曲げた状態で、折り畳み帽子１を折り畳んで保持することができる。
【符号の説明】
【００１４】
１    折り畳み帽子
２    本体部
３    庇部
４，５    庇片
４ａ，５ａ    庇芯
４ｂ，５ｂ，４ｃ，５ｃ，１０    生地
６    裏地
７    後端部
８    先端部
９    開口部
１１    紐部
【図１】
0003168848.tif 000003
【図２】
0003168848.tif 000004
【図３】
0003168848.tif 000005
【図４】
0003168848.tif 000006
【図５】
0003168848.tif 000007
【図６】
0003168848.tif 000008
【図７】
0003168848.tif 000009
【図８】
0003168848.tif 000010
【図９】
0003168848.tif 000011
【図１０】
0003168848.tif 000012
【図１１】
0003168848.tif 000013